(57)【要約】【課題】宝石を実物よりも大きく見せることができる構造を持ち、しかもより簡単かつ高品質に製造することができる宝飾品を提供する。【解決手段】宝飾品１１は、上方に膨出した球面状の外面１３ａおよび平坦な底面１３ｂを有し、透明な材料からなる透明球面体１３と、透明球面体１３の底面１３ｂに接合され、その接合面に凹部１４ａを有するベース部材１４と、透明球面体１３の底面１３ｂおよびベース部材１４の凹部１４ａの間に形成される収納空間１６の内部に固定される宝石１２とを備える。【選択図】図１
2009125417.tif 000002
【特許請求の範囲】
【請求項１】
上方に膨出した球面状の外面および平坦な底面を有し、透明な材料からなる透明球面体と、
前記透明球面体の底面に接合され、その接合面に凹部を有するベース部材と、
前記透明球面体の底面および前記ベース部材の凹部の間に形成される収納空間の内部に固定される宝石とを備える、宝飾品。
【請求項２】
前記宝石は、前記透明球面体の底面に接着固定され、
前記宝石と前記ベース部材との間には、隙間が形成されている、請求項１に記載の宝飾品。
【請求項３】
前記ベース部材は、金属で形成されており、
前記凹部の表面は、鏡面および梨地のいずれかである、請求項２に記載の宝飾品。
【請求項４】
前記凹部は、前記宝石の外形に沿う形状であって、
前記宝石は、前記凹部に嵌め込まれると共に、その上面を前記透明球面体の底面に拘束されて固定されている、請求項１に記載の宝飾品。
【請求項５】
前記ベース部材は、前記透明球面体と屈折率が実質的に等しい材料で形成されている、請求項１に記載の宝飾品。
【請求項６】
前記透明球面体は、水晶で形成されている、請求項１〜５のいずれかに記載の宝飾品。
【請求項７】
前記収納空間には、複数の前記宝石が固定されている、請求項１〜６のいずれかに記載の宝飾品。
【発明の詳細な説明】
【技術分野】
【０００１】
この発明は、宝石を備えた宝飾品に関し、特に宝石を実物より大きく見せることのできる宝飾品に関するものである。
【背景技術】
【０００２】
宝石を備えた宝飾品として、指輪、ネックレス、ペンダント、ネクタイピン、カフリンクス等がある。これらの宝飾品では、通常、ブリリアンカットされて光り輝くダイヤモンド等の宝石が露出している。このような宝飾品では、ダイヤモンドが露出しているためにキズがついたり、汚れが付着したりする可能性がある。また、ダイヤモンドは非常に高価な宝石であり、その大きさに比例して価格も上昇する。そのため、平均的な需要者は、大きなダイヤモンドを購入することができない。
【０００３】
特開２００３−１９０１１号公報（特許文献１）は、上記の課題を解決するために、ダイヤモンドを球状あるいは多面体形状となる透明樹脂または透明ガラスで覆うようにした装身具を開示している。この構成により、小さなダイヤモンドを大きく見せて豪華さ、高級感を与えるようにし、さらにダイヤモンドに汚れが付着しないようにしている。
【特許文献１】特開２００３−１９０１１号公報
【発明の開示】
【発明が解決しようとする課題】
【０００４】
特開２００３−１９０１１号公報に開示された装身具では、宝石を透明樹脂または透明ガラスで覆うために、流し型に透明樹脂あるいは透明ガラスを途中まで流し入れ、その中に目的の装飾品を固定させてからさらに透明樹脂あるいは透明ガラスを追加して固まらせている。その後、透明樹脂または透明ガラスを流し型より取り出し、所望の形状に研削し、最後に表面を磨くことにより最終装身具を得ている。
【０００５】
上記のような製造方法は煩雑であり、製造コストが高くなる。また、溶融した樹脂またはガラスが固まる際に、樹脂またはガラス中に引けや気泡が残ったりするおそれもある。さらには、装飾品を透明樹脂あるいは透明ガラスの中で正確に位置決めするのが難しいという問題もある。
【０００６】
この発明の目的は、宝石を実物よりも大きく見せることができる構造を持ち、しかもより簡単かつ高品質に製造することができる宝飾品を提供することである。
【課題を解決するための手段】
【０００７】
この発明に係る宝飾品は、上方に膨出した球面状の外面および平坦な底面を有し、透明な材料からなる透明球面体と、透明球面体の底面に接合され、その接合面に凹部を有するベース部材と、透明球面体の底面およびベース部材の凹部の間に形成される収納空間の内部に固定される宝石とを備える。
【０００８】
上記構成のように、閉鎖された収納空間に宝石を配置することにより、宝石が傷ついたり、よごれたりするのを防止することができる。また、透明球面体を通して見た宝石は実物より大きく見えるので、低価格でありながら、より高級感のある宝飾品を得ることができる。
【０００９】
一実施形態として、宝石は透明球面体の底面に接着固定される。また、宝石とベース部材との間には隙間が形成されている。好ましくは、ベース部材は金属で形成されている。そして、凹部の表面は鏡面および梨地のいずれかである。これにより、凹部の表面に宝石の影が投影される。その結果、より神秘的な宝飾品を得ることができる。
【００１０】
他の実施形態として、凹部は宝石の外形に沿う形状である。そして、宝石は、凹部に嵌め込まれると共に、その上面を透明球面体の底面に拘束されて固定されている。従来の宝石を爪で固定する方法と異なり、宝石の上面が隠れないので、宝石の持つ本来の美しさを十分に引き出すことができる。
【００１１】
好ましくは、ベース部材は、透明球面体と屈折率が実質的に等しい材料で形成されている。これにより、宝飾品を正面から見たときに、凹部の輪郭が見えなくなる。その結果、宝石が透明球面体の中に浮いているように見え、より神秘的な宝飾品を得ることができる。
【００１２】
透明球面体は水晶で形成されている。水晶は透明感があり、宝石としての価値も高いので、より魅力的な宝飾品となる。
【００１３】
好ましくは、収納空間には複数の宝石が固定されている。複数の宝石の配置形態を工夫することにより、デザイン性に優れた宝飾品を得ることができる。また、上記のような固定方法によれば、宝石を正確に、かつ簡単に位置決めすることができる。
【発明を実施するための最良の形態】
【００１４】
図１および図２を参照して、この発明の一実施形態に係る宝飾品１１を説明する。なお、図１は宝飾品１１を横から見た図、図２は宝飾品１１を上から見た図である。この発明の一実施形態に係る宝飾品１１は、複数の宝石１２と、透明球面体１３と、ベース部材１４と、貴金属製のリング１５とで構成される指輪である。
【００１５】
宝石１２は、例えば、ブリリアンカットされたダイヤモンドである。また、ダイヤモンドに代えて、ルビー、サファイア、エメラルド、ピンクスピネル等、あらゆる石を採用することができる。
【００１６】
透明球面体１３は、透明な材料からなり、上方に膨出した球面状の外面１３ａと、平坦な底面１３ｂとを有する。透明球面体１３を構成する材料としては、透明であればどのような材質のものでもよい。例えば、水晶、ガラス、樹脂等を用いることができるが、この中で好ましいものは水晶である。なぜなら、水晶は、透明感があり、宝石としての価値も高いので、より魅力的な宝飾品となるからである。
【００１７】
ベース部材１４は、透明球面体１３とリング１５との間に配置される金属製の部材であって、上面（「透明球面体１３との接合面」を指す）に凹部１４ａを有する。また、凹部１４ａの表面には、鏡面加工または梨地加工が施されている。ベース部材１４の材料は特に限定されないが、ホワイトゴールドや１８金等の貴金属が使用される。また、リング１５もベース部材１４と同じ材料で形成すればよい。
【００１８】
この宝飾品１１は、透明球面体１３の底面１３ｂとベース部材１４の上面とを接合して形成されている。その結果、透明球面体１３の底面１３ｂとベース部材１４の凹部１４ａとの間には宝石１２を収納する収納空間１６が形成される。
【００１９】
宝石１２は、収納空間１６の内部に固定されている。この実施形態においては、宝石１２の上面（テーブル）を透明球面体１３の底面１３ｂに接着固定している。また、宝石１２とベース部材１４との間には所定の隙間が形成されている。なお、宝石１２を接着する接着剤は特に限定されないが、例えば、紫外線硬化型のフォトボンドを使用することができる。
【００２０】
上記構成の宝飾品１１は、透明球面体１３とベース部材１４とで囲まれた収容空間に宝石１２を配置しているので、宝石１２が傷ついたり、埃が付着したりするのを有効に防止することができる。
【００２１】
また、図２を参照して、透明球面体１３はレンズとして機能するので、宝飾品１１を上から見ると、宝石１２が実物より大きく見える。また、宝石１２とベース部材１４との間に隙間を設け、凹部１４ａの表面を鏡面（または、梨地）としたことにより、凹部１４ａの表面に宝石１２の影１２ａが投影される。このような構成とすることで、神秘的な宝飾品１１を得ることができる。
【００２２】
さらに、透明球面体１３の底面に宝石１２を接着固定する方法によれば、宝石１２を正確、かつ簡単に位置決めすることができる。その結果、最もきれいに見える位置、および角度で宝石１２を配置することができるので、宝飾品１１のデザイン性をさらに高めることができる。
【００２３】
次に、図３および図４を参照して、この発明の他の実施形態に係る宝飾品２１を説明する。なお、図３は宝飾品２１を横から見た図、図４は宝飾品２１を上から見た図である。また、宝飾品１１と共通する構成要素には同一の参照番号を付し、その説明は省略する。
【００２４】
図３および図４に示す宝飾品２１は、複数の宝石１２と、透明球面体１３と、ベース部材２４と、リング１５とで構成される指輪である。そして、ベース部材２４の上面に設けられた凹部２４ａは、宝石１２の外形（パビリオン）に沿う形状になっている。つまり、宝石１２は、凹部２４ａに嵌め込まれると共に、その上面（テーブル）を透明球面体１３の底面１３ｂに拘束されて固定されている。
【００２５】
従来の宝飾品は、台座から突き出した爪で宝石を固定するのが一般的であった。この方法によれば、宝石の一部が爪で隠れることになるので、宝石本来の美しさを最大限に引き出しているとは言い難い。しかし、図３および図４に示す方法によれば、宝石１２の上面が隠れることがないので、宝石１２の持つ本来の美しさを十分に引き出すことができる。
【００２６】
また、宝飾品２１においても、宝飾品１１と同様に、宝石１２の傷や汚れを防止することができる。また、宝石１２を実物より大きく見せることができる。さらに、宝石１２を正確、かつ簡単に位置決めすることができる。
【００２７】
次に、図５および図６を参照して、この発明のさらに他の実施形態に係る宝飾品３１を説明する。なお、図５は宝飾品３１を横から見た図、図６はこの宝飾品３１を正面から見た図である。また、宝飾品１１，２１と共通する構成要素には同一の参照番号を付し、その説明は省略する。
【００２８】
図５および図６に示す宝飾品３１は、宝石１２と、透明球面体１３と、ベース部材３４と、透明球面体１３およびベース部材３４の接合部分に固定されるチェーン３５とで構成されるネックレスである。
【００２９】
この実施形態における透明球面体３３は、球面形状の外面３３ａと平坦な底面３３ｂとを有する半球形状の部材である。ベース部材３４は、透明球面体３３より曲率半径の大きい球の一部を構成し、透明球面体３３と比較してやや扁平な形状となっている。また、ベース部材３４は、透明球面体１３との接合面に凹部３４ａを有し、透明球面体１３と屈折率が実質的に等しい材料、すなわち水晶で形成されている。さらに、宝石１２は、宝飾品１１と同様に透明球面体１３に接着固定されている。
【００３０】
上記構成の宝飾品３１を正面から見ると、宝飾品１１，２１と同様に宝石１２が実物より大きく見える。また、透明球面体１３とベース部材３４とを屈折率が実質的に等しい材料で形成することにより、正面から本来見えるはずの凹部３４ａの輪郭（図６中の一点差線で表示）やチェーン３５（図６中の二点鎖線で表示）が見えなくなる。その結果、宝石１２が水晶の中に浮かんでいるように見える。
【００３１】
また、透明球面体１３およびベース部材３４の両方を透明な材料で形成したことにより、宝石１２を３６０°どの角度からでも観察することができる。さらに、宝飾品１１，２１と同様に、宝石１２の傷や汚れを防止することができる。
【００３２】
なお、この発明に係る宝飾品には、図１〜図４に示したように複数の宝石１２を配置してもよいし、図５および図６に示したように宝石１２を１つだけ配置してもよい。また、宝石１２のカットはブリリアントカットに限らず、バゲットカットやプリンセスカット等、あらゆる形状の宝石を採用することができる。さらに、複数の宝石を配置する場合には、１種類の宝石であってもよいし、複数種類の宝石を混在させてもよい。
【００３３】
また、上記の各実施形態としては、宝飾品１１，２１として指輪の例を、宝飾品３１としてネックレスの例を示したが、この発明は他の宝飾品にも適用することができる。例えば、ペンダント、ネクタイピン、カフリンクス等にも適用することができる。
【００３４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３５】
この発明は、比較的低価格でありながら、大きな満足感を得ることのできる宝飾品として有利に利用される。
【図面の簡単な説明】
【００３６】
【図１】この発明の一実施形態に係る宝飾品を横から見た図である。
【図２】図１に示す宝飾品を上から見た図である。
【図３】この発明の他の実施形態に係る宝飾品を横から見た図である。
【図４】図３に示す宝飾品を上から見た図である。
【図５】この発明のさらに他の実施形態に係る宝飾品を横から見た図である。
【図６】図５に示す宝飾品を正面から見た図である。
【符号の説明】
【００３７】
１１，２１，３１  宝飾品、１２  宝石、１２ａ  影、１３，３３  透明球面体、１３ａ，３３ａ  外面、１３ｂ，３３ｂ  底面、１４，２４，３４  ベース部材、１４ａ，２４ａ，３４ａ  凹部、１５  リング、１６  収納空間、３５  チェーン。
【図１】
2009125417.tif 000003
【図２】
2009125417.tif 000004
【図３】
2009125417.tif 000005
【図４】
2009125417.tif 000006
【図５】
2009125417.tif 000007
【図６】
2009125417.tif 000008